(57)【要約】【課題】着物の着装時における動き難さや圧迫感を解消する着物を提供する。【解決手段】伸縮性生地から形成された着物本体１は、左右の袖２,３、衿部４、衿部４と袖２,３の間の前身頃５,６、後身頃７とからなり、着物本体１の前身頃５,６と後身頃７の裏側の胴部周り対応部分には、面ファスナ、スナップボタンからなる付着部16により固定されたお端折り部15が形成されている。着物本体１の胴部周りには、帯本体17の背面対応部分に着脱可能なお太鼓部を備えた帯20が着脱自在に付着される。帯本体17は、表布21に伸縮性生地を用いたものであり、一端側22及び他端側23には、それぞれスライドファスナ24,25が設けられ、帯本体17の正面対応部分には第１の補強部材が、背面対応部分には第２の補強部材がそれぞれ表皮の内側に内包されている。【選択図】図１
2007224457.tif 000002
【特許請求の範囲】
【請求項１】
着物本体と、前記着物本体背面を上下方向に重ね合わせて折り返し形成されたお端折り部と、該お端折り部を固定するための付着部と、前記着物本体の胴部周りに着脱自在に付着された帯とを備えてなる着物において、
前記着物本体は、伸縮性生地からなることを特徴とする着物。
【請求項２】
前記帯は、前記伸縮性生地からなることを特徴とする請求項１記載の着物。
【請求項３】
前記帯は、胴部周りに着脱自在に設けられた帯本体と、該帯本体の背面対応部分に着脱自在に設けられたお太鼓部とからなり、
前記帯本体は、前記伸縮性生地からなる表布と、該表布の内部に設けられた薄板状の補強部材とを備えたことを特徴とする請求項２記載の着物。
【請求項４】
前記帯本体に、該帯本体を前記着物本体の胴部周りに着脱自在にするスライドファスナを設けたことを特徴とする請求項３記載の着物。
【発明の詳細な説明】
【技術分野】
【０００１】
本発明は、わが国の女性の伝統的衣装である和服としての着物に関するものである。
【背景技術】
【０００２】
わが国の女性の伝統的意匠である和服としての着物は、その着物の着付けにおいて、様々な順序や数々の小物の使用をもってして着装されることとなるが、中でも身長と着物の丈（着丈）の調節、そして着丈を決めた後、その位置に着物の長さを固定する為の腰紐の装着、さらに着物の長さを調節する為の着物の腰部に形成される折り返し部（お端折り）の形の調整、そして、お太鼓等の帯の背部の形作り等の着付けの手順においては、美容院等に通い他人の手を借り行うか、又は着付けの訓練を受けてから行うか、というように一人で行うことが困難であり、さらにその着付けの手順には時間を費やすことを余儀なくされていた。
【０００３】
そこで、着物本体と、前記着物本体背面を上下方向に重ね合わせて折り返し形成されたお端折り部と、該お端折り部を固定するための付着部と、前記着物本体の胴部周りに付着された帯とを備えてなる着物（特許文献１）により、誰でも一人で、他人の手を借りることなく、しかも短時間で着物の着装することが可能となった。
【特許文献１】特開平１−３１４７０７号公報
【発明の開示】
【発明が解決しようとする課題】
【０００４】
しかし、着付けの順序を大幅に削減し、短時間の着装が可能となると、次に着物自体に対し、着装時の動き難さや圧迫感等に対し、改善が求められるようになった。
【０００５】
本発明は、上記のような欠点を解決することを目的とするものであり、着物の着装時における動き難さや圧迫感を解消する着物を提供することを目的とする。
【課題を解決するための手段】
【０００６】
請求項１の発明は、着物本体と、前記着物本体背面を上下方向に重ね合わせて折り返し形成されたお端折り部と、該お端折り部を固定するための付着部と、前記着物本体の胴部周りに着脱自在に付着された帯とを備えてなる着物において、前記着物本体は、伸縮性生地からなることである。
【０００７】
請求項２の発明は、前記帯は、前記伸縮性生地からなることである。
【０００８】
請求項３の発明は、前記帯は、胴部周りに着脱自在に設けられた帯本体と、該帯本体の背面対応部分に着脱自在に設けられたお太鼓部とからなり、前記帯本体は、前記伸縮性生地からなる表布と、該表布の内部に設けられた薄板状の補強部材とを備えたことである。
【０００９】
請求項４の発明は、前記帯本体に、該帯本体を前記着物本体の胴部周りに着脱自在にするスライドファスナを設けたことである。
【発明の効果】
【００１０】
請求項１の発明によれば、着物の着装時の動き難さを解消すると共に、装着時に着物から受ける圧迫感を低減する。
【００１１】
請求項２の発明によれば、着物を着装した場合に、一番圧迫を受ける胴回り部分の圧迫を低減する。
【００１２】
請求項３の発明によれば、お太鼓部分の結びを省略した着付けを可能とし、着付けに掛かる時間を短縮させるとともに、伸縮性生地の表布の内部に補強部材を設けたことにより、帯の伸縮と帯の型崩れ及び皺防止とを両立することが可能となる。
【００１３】
請求項４の発明によれば、帯本体が着物本体に対し、帯本体の一端側と他端側の周縁同士が揃った状態で取付けることが可能となるので、帯の着崩れの無い整った外観の着装が可能となる。
【実施例１】
【００１４】
図１乃至図７は、本発明の最良の実施形態を示すものであり、１は着物本体であり、伸縮性生地から形成された前記着物本体１は、左右の袖２,３、衿部４、衿部４と袖２,３の間の前身頃５,６、そして、図２の背面図に表れる後身頃７とからなり、ミシン又は手縫いにより縫製されている。前記の衿部４には、着物本体１の衿部４より僅かに上方に突出するように取付けられた衿布８が備えられている。
【００１５】
前記伸縮性生地としては、例えば、ポリウレタン繊維（ポリウレタン弾性繊維）やポリエーテルエステル系繊維等のように伸縮性のある繊維をそのまま糸として用いた布地、又は他繊維との複合糸、例えば、前記伸縮性のある繊維（ポリウレタン繊維、ポリエーテルエステル系繊維等）を芯として周りに他の繊維を巻き付けた糸（カバード糸又はカバードヤーン）や、紡績工程で前記伸縮性のある繊維（ポリウレタン繊維、ポリエーテルエステル系繊維等）を芯として他の繊維に巻き付けた糸（コアスパン糸又はコアスパンヤーン）や、前記伸縮性のある繊維（ポリウレタン繊維、ポリエーテルエステル系繊維等）を他の繊維と一緒に撚った撚糸（合撚糸）などの前記複合糸を用いた布地や、ウール等の原料自身にある程度の伸縮性を有するものを糸の撚りを工夫することにより伸縮性を高めた生地や、一般的な平織りの生地を意図的に斜めに裁断し服地として用いることで縦横の伸びを稼いだ生地が、挙げられ上記の生地以外にも伸縮性・弾力性に富み運動性能の高い生地であって、非伸縮性生地以外であれば構わないものとする。
【００１６】
さらに、着物本体１の前身頃５,６と後身頃７の裏側の胴部周り対応部分には、雌型面ファスナ９と凹型スナップ10がそれぞれ左右方向の５箇所に設けられ、前記雌型面ファスナ９と前記凹型スナップボタン10の設けられた箇所の下方には、雄型面ファスナ11と凸型スナップボタン12がそれぞれ設けられている。そして、前身頃５,６の衿部４側における裏側には、凹型と凸型が一対のスナップボタン13,14がそれぞれ設けられている。前記雌型面ファスナ９、凹型スナップ10、雄型面ファスナ11、凸型スナップボタン12、そしてスナップボタン13,14により、お端折り部15の付着部16を構成している。
【００１７】
また、着物本体１の胴部周りには、図３に示すように、帯本体17の背面対応部分18に着脱可能なお太鼓部19を備えた帯20が着脱自在に付着される。
【００１８】
前記帯本体17は、表布21に前記伸縮性生地を用いたものであり、前記帯本体17の一端側22の裏面と他端側23の表面には、それぞれ一対のテープからなるスライドファスナ24,25を設けると共に、一端側22の裏面に雄型面ファスナ26を、他端側23の表面に雌型面ファスナ27を、それぞれ設けている。
【００１９】
そして、図７に示すように、帯本体17の正面対応部分28には、薄板状に形成された第１の補強部材29が、前記表皮21の内側に内包されると共に、その背面対応部分18にも、薄板状に形成された第２の補強部材30が、同様に前記表皮21の内側に内包されている。前記第１及び第２の補強部材29,30は、ポリウレタン樹脂又はゴム等を厚さ３mm前後の薄板状に形成したものである。
【００２０】
また、前記お太鼓部19は、図７に示すように上下方向に２回折り返して形成された筒型部材31と、筒型部材31の折り返された隙間32に通すように設けられた横部材33とからなる。
【００２１】
前記筒型部材31は、表布34に前記伸縮性生地を用いており、その表布34の内側に薄板状に形成された厚さ３mm前後のポリウレタン樹脂又はゴムからなる芯材35を内包し、前記横部材33は、表布36に前記伸縮性生地を用い、その表布36の内部に中空な袋体に形成された合成樹脂等からなる帯枕部材37を内包したものである。
【００２２】
そして、図５に示すように帯本体17の背面対応部分18とお太鼓部19には、それぞれ一対のテープからなるスライドファスナ38,39を設けると共に、お太鼓部19側に雄型面ファスナ40を、帯本体18側に雌型面ファスナ41を、それぞれ３箇所ずつ設けている。また、前記スライドファスナ38,39は、面ファスナ40,41より上方に位置するように設けられている。
【００２３】
以上の構成について作用を述べると、本発明の着物の着装について、先ず、着物本体１の袖２,３に左右の腕を通し、着物本体１を着装する。次に、着物本体１の着丈の長さを被着者の身長に合せるため、図４に示す２点鎖線の第１の折り曲げ線Ｘと同じく２点鎖線の仮想線Ｙとを合せるように、第１の折り曲げ線Ｘで内側から山折りにし、２点鎖線の第２の折り曲げ線Ｚでは内側に谷折りにし、スナップボタン10,12,13,14と面ファスナ９,11を用いて折り返し部42を固定し、お端折り部15を固定する。お端折り部15を固定した状態では、面ファスナ９,11より上方にスナップボタン10,12が位置するため、固定時には、先ず、スナップボタン10,12を留め、その後に面ファスナ９,11を留めることで、仮想線Ｙと第１の折り曲げ線Ｘとが整合し、それにより着物を着装した時に外部に現れる第２の折り曲げ線Ｚの箇所（お端折り部15）が外観上美しく整って表れる。
【００２４】
ここで、着物の着装の手順に戻ると、お端折り部15を固定した後に、着物の胴部周りに帯本体１の面ファスナ26,27及びスライドファスナ24,25を留めることにより、あらかじめ帯本体１の背面対応部分18にお太鼓部19を取付けた帯20を付着させる。
【００２５】
この時、スライドファスナ24,25を留めることにより、他端側23に対する一端側22の位置決めがなされ、一端側22の周縁と他端側23の周縁とが整合した状態で、着物本体１の胴部周り部分に付着されるので、外観上乱れの無い美しく結ばれた帯が形成されることとなる。
【００２６】
また、帯本体17には、第１及び第２の補強部材29,30が備えられており、第１の補強部材29により、帯本体の正面対応部分28の表皮21を平坦に保持することで、皺や型崩れを防ぎ、正面対応部分28の外観を美しく保つ。
【００２７】
そして、第２の補強部材30により、お太鼓部19を着脱自在にする背面対応部分18の上端部分が、お太鼓部19の重さにより外方向に広がることを防ぎ、帯本体17とお太鼓部19との接続部分（スライドファスナ24,25、面ファスナ26,27）が外部に目立たないようにしている。
【００２８】
さらに、面ファスナ26,27より上方にスライドファスナ24,25を設けたことで、お太鼓部19の帯本体17への位置決めが容易になされ、お太鼓部19が帯本体17に傾いた状態で取り付けられることを防ぎ、接続後も、お太鼓部19の上端部分に作用する外力に対し、お太鼓部19と帯本体17の背面対応部分18との接続部分が上方から離脱するのを防ぐ。
【００２９】
また、お太鼓部19の筒型部材31の内部に薄板状の芯材31を備えたことで、筒型部材31は、軽量で、弾力性に富み、そして形状の安定したものとなっている。さらに、横部材33の内部には帯枕部材37を備えたことで、筒型部材31の隙間32を保持され、お太鼓部19の膨らみが保持される（図７参照）。
【００３０】
帯20を着物本体１の胴部周りに付着した後に、好みで帯締め又は帯揚げ（図示せず）を帯20上で結んで、着物の着装は完了し、外観的には従来の着物を着装した場合と同じ外観が出来上がる。
【００３１】
尚、上記の着装の順序は、被装者が始めて着物を着装する場合についての説明であったが、前記着物が被装者専用のものであるなら、お端折り部15、帯20等を全て付着したままで、保管することも可能であり、次回の着装においては、着装に掛かる時間を短縮することが可能となる。
【００３２】
着物本体１及び帯20を伸縮性生地から作成したことで、本発明の着物を着用した場合において、肩、肘、胸、背中、脇下、胴周り、腰、脚部等に対応した部分の生地が伸縮し、全身の関節における可動域の低下を防ぎ、日常の動作の妨げになりにくい。
【００３３】
また、特に着物を着用した場合において、一番圧迫を受け易い胴部周りについても、着物本体１だけでなく、帯20自体も伸縮性生地からなり、帯20の形状を保持する補強部材29,30においても、前面及び背面対応部分18,28にのみに内包したため、左右側面対応部分においては、伸縮性生地の特性である生地の伸縮を行うことが可能であり、日常生活における、前屈、後屈、側屈、腰の捻り、椅子へ腰掛け、しゃがみ込み、正座等の動作時に受ける圧迫や、飲食等による体の内側からの圧迫により生じる着物の胴部周り部分への圧迫等も低減させる。
【００３４】
さらに、スライドファスナ等により確実に付着された帯本体17においても、被着者の胴部周りの寸法に適合するように伸縮するため、帯本体17の周方向の位置調節用にスライドファスナ等を複数設ける必要は無い。
【００３５】
また、着物本体１及び帯20を伸縮性生地から作成したことにより、洋服のように体のラインにフィットした着物も現実的に作成可能となり、従来の着物よりスリムな外観を有する着物も作成可能となる。それにより、従来では、あまり服装のコーディネートとしては、組合せの無かったコート、下着、靴、ブーツ、バック等との組合わせも可能となり、体にフィットした服装を好む年齢層の人々にも受け入れ易い着物が作成可能となる。
【００３６】
さらに、着物本体１及び帯20が伸縮性を有していることで、一つの着物本体及び帯に対し、着装可能な体型の範囲も広くなり、それにより、着物本体及び帯を洋服のサイズのようにＳ、Ｍ、Ｌ、ＬＬ等と、予め揃えておくことが可能となる。
【００３７】
また、本実施例の帯20では胴周り部分への付着を幅の広いベルトのように使用ができる構造としたことで、被着者一人で付着することが可能となる。
【００３８】
さらに、帯本体17とお太鼓部19に第１の補強部材29、第２の補強部材30、帯枕部材37を内蔵させたことにより、従来の着物において、用いられてきた帯板（本実施例においては、第１の補強部材29に相当）、帯枕（本実施例においては、帯枕部材37に相当）といった、従来帯の着崩れを防止する為に用いられてきた小物の数を大幅に減らすことが可能である。
【００３９】
また、着物本体１及び帯20等の縫製をミシンで行うことにより、着物作成に掛かる時間を短縮させ、生産コストを削減させる。また、着物本体１及び帯20等のデザインも適宜変更可能となり、より意匠性の高い着物を作成することが可能である。
【００４０】
以上のように、前記実施例では請求項１に対応して、着物本体１と、前記着物本体１背面を上下方向に重ね合わせて折り返し形成されたお端折り部15と、該お端折り部15を固定するための付着部16と、前記着物本体１の胴部周りに着脱自在に付着された帯20とを備えてなる着物において、前記着物本体１は、伸縮性生地からなることにより、着物の着装時の動き難さを解消すると共に、装着時に着物から受ける圧迫感を低減する。
【００４１】
また、前記実施例では請求項２に対応して、前記帯20は、前記伸縮性生地からなることにより、着物を着装した場合に、一番圧迫を受ける胴周り部分の圧迫を低減する。
【００４２】
さらに、前記実施例では請求項３に対応して、前記帯20は、胴部周りに着脱自在に設けらた帯本体17と、該帯本体17の背面対応部分18に着脱自在に設けられたお太鼓部19とからなり、前記帯本体17は、前記伸縮性生地からなる表布21と、該表布21の内部に設けられた薄板状の補強部材29,30とを備えたことにより、お太鼓部分の結びを省略した着付けを可能とし、着付けに掛かる時間を短縮させ、伸縮性生地の表布21の内部に補強部材29,30を設けたことにより、帯20の伸縮と、帯20の型崩れ及び皺防止とを両立することが可能となる。
【００４３】
また、前記実施例では請求項４に対応して、前記帯本体17に、該帯本体17を前記着物本体１の胴部周りに着脱自在にするスライドファスナ24,25を設けたことにより、帯本体17が着物本体１に対し、帯本体17の一端側22と他端側23の周縁同士が揃った状態で取付けることが可能となるので、帯20の着崩れの無い整った外観の着装が可能となる。
【００４４】
なお、本発明は上記実施例に限定されるものではなく本発明の要旨の範囲内において種々の変形実施が可能であり、例えば着物本体１や帯20に用いられる面ファスナ、スナップボタン及びスライドファスナの大きさ、形状、寸法、取付け位置等は適宜選定可能であり、第１の補強部材29及び第２の補強部材30における大きさ、形状、寸法等も適宜選定可能である。帯本体17においても、周縁に意匠性に優れたレース生地等を備え、意匠性に優れた帯へと適用可能である。
【００４５】
また、前記請求項３の事項については、伸縮性生地以外のもの、例えば非伸縮性生地であっても、実施可能である。つまり、お太鼓部はその形状を安定させることが重要であり、非伸縮性生地を使用する事により形状が安定するようであれば、本実施例の変形形態として実施可能とする。
【図面の簡単な説明】
【００４６】
【図１】本発明の実施例１における着物の正面図である。
【図２】本発明の実施例１における着物の背面図（但し、お太鼓部を省略）である。
【図３】本発明の実施例１における帯の斜視図である。
【図４】本発明の実施例１における着物本体の襟を開いた状態の正面図である。
【図５】本発明の実施例１における帯の分解斜視図である。
【図６】本発明の実施例１における着物着装時の正面図である。
【図７】図６のＡ―Ａ線における要部拡大断面図である。
【符号の説明】
【００４７】
１  着物本体
15  お端折り部
16  付着部
17  帯本体
18  背面対応部分
19  お太鼓部
20  帯
21  表布
29  第１の補強部材
30  第２の補強部材
【図１】
2007224457.tif 000003
【図２】
2007224457.tif 000004
【図３】
2007224457.tif 000005
【図４】
2007224457.tif 000006
【図５】
2007224457.tif 000007
【図６】
2007224457.tif 000008
【図７】
2007224457.tif 000009